(57)【要約】【課題】  ＩＣカードのセキュリティ性や譲渡性の確保を維持しつつチケットに関連する情報の配信及び目視を可能とする電子チケット販売方式を得る。【解決手段】  電子チケット情報を、本チケットデータD10 と仮チケットデータD20 とに分け、データD10 は入場用の認証情報D11 、チケット表記事項D12 、チケット所有者向け情報享受用の認証情報D13 を有し、データD20 はチケット表記事項D21 、チケット購入希望者向け情報享受用の認証情報D22 を有する。電子チケット販売サーバより、通信網を介して携帯電話機へデータD10 、D20 を配信し、携帯電話機では、本チケットデータはセキュリティ性や譲渡性が高い着脱自在なＩＣカード等の格納媒体に格納し、仮チケットデータは内部メモリへ格納する。サーバにおいて、仮チケットデータのチケット購入希望者向け情報享受用の認証情報により、仮チケットデータが格納されていると確認されれば、チケット関連情報を送信する。【選択図】      図４                                                  
2005078540.tif 000002
【特許請求の範囲】
【請求項１】
電子チケット販売装置から通信網を介して電子チケット情報を携帯電話機へ提供するようにした電子チケット提供システムであって、
前記電子チケット販売装置は、
入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御手段を含み、
前記携帯電話機は、
内部メモリと、着脱自在な格納媒体に対する読出し書込みをなす手段と、前記本チケットデータを前記格納媒体に、前記仮チケットデータを前記内部メモリヘ、それぞれ格納制御する格納制御手段とを含むことを特徴とする電子チケット提供システム。
【請求項２】
前記電子チケット販売装置の制御手段は、前記本チケットデータと仮チケットデータとを一括して前記電子チケット情報として送信するよう構成されており、前記携帯電話機の格納制御手段は、前記電子チケット情報の本チケットデータと仮チケットデータとを分離して格納するよう構成されていることを特徴とする請求項１記載の電子チケット提供システム。
【請求項３】
前記電子チケット販売装置の制御手段は、前記本チケットデータと仮チケットデータとを分離して送信するよう構成されていることを特徴とする請求項１記載の電子チケット提供システム。
【請求項４】
前記電子チケット販売装置は、前記携帯電話機からの前記チケット購入希望者向け情報の享受要求に応答して、前記携帯電話機に対してその内部メモリにおける前記仮チケットデータの格納確認を、前記仮チケットデータの認証情報に基づいて行う認証手段を含み、この認証結果に基づいて前記チケット購入希望者向け情報を当該携帯電話機へ送信するようにしたことを特徴とする請求項１〜３いずれか記載の電子チケット提供システム。
【請求項５】
前記チケット購入希望者向け情報は、前記電子チケットのイベントに関連するイベント情報であることを特徴とする請求項１〜４いずれか記載の電子チケット提供システム。
【請求項６】
前記電子チケット販売装置は、前記携帯電話機からの前記チケット購入希望者向け情報の享受要求に応答して、前記携帯電話機に対してその格納媒体における前記本チケットデータの格納確認を、前記本チケットデータの認証情報に基づいて行う認証手段を含み、この認証結果に基づいて前記チケット所有者向け情報を当該携帯電話機へ送信するようにしたことを特徴とする請求項１〜６いずれか記載の電子チケット提供システム。
【請求項７】
前記チケット所有者向け情報は、前記携帯電話機の表示画面における壁紙情報や着信メロディ情報を含むことを特徴とする請求項１〜６いずれか記載の電子チケット提供システム。
【請求項８】
電子チケット販売装置から通信網を介して電子チケット情報を携帯電話機へ提供するようにした電子チケット提供方法であって、
前記電子チケット販売装置において、
入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御ステップを含み、
前記携帯電話機において、
前記本チケットデータを着脱自在な格納媒体に、前記仮チケットデータを内部メモリヘ、それぞれ格納制御する格納制御ステップを含むことを特徴とする電子チケット提供方法。
【請求項９】
前記電子チケット販売装置の制御ステップは、前記本チケットデータと仮チケットデータとを一括して前記電子チケット情報として送信するステップを有し、前記携帯電話機の格納制御ステップは、前記電子チケット情報の本チケットデータと仮チケットデータとを分離して格納するステップを有することを特徴とする請求項８記載の電子チケット提供方法。
【請求項１０】
前記電子チケット販売装置の制御ステップは、前記本チケットデータと仮チケットデータとを分離して送信するステップを有することを特徴とする請求項８記載の電子チケット提供方法。
【請求項１１】
前記電子チケット販売装置において、前記携帯電話機からの前記チケット購入希望者向け情報の享受要求に応答して、前記携帯電話機に対してその内部メモリにおける前記仮チケットデータの格納確認を、前記仮チケットデータの認証情報に基づいて行う認証ステップと、この認証結果に基づいて前記チケット購入希望者向け情報を当該携帯電話機へ送信するステップとを、更に含むことを特徴とする請求項８〜１０いずれか記載の電子チケット提供方法。
【請求項１２】
前記チケット購入希望者向け情報は、前記電子チケットのイベントに関連するイベント情報であることを特徴とする請求項８〜１１いずれか記載の電子チケット提供方法。
【請求項１３】
前記電子チケット販売装置において、前記携帯電話機からの前記チケット購入希望者向け情報の享受要求に応答して、前記携帯電話機に対してその格納媒体における前記本チケットデータの格納確認を、前記本チケットデータの認証情報に基づいて行う認証ステップと、この認証結果に基づいて前記チケット所有者向け情報を当該携帯電話機へ送信するステップとを更に含むことを特徴とする請求項８〜１２いずれか記載の電子チケット提供方法。
【請求項１４】
前記チケット所有者向け情報は、前記携帯電話機の表示画面における壁紙情報や着信メロディ情報を含むことをことを特徴とする請求項８〜１３いずれか記載の電子チケット提供方法。
【請求項１５】
通信網を介して電子チケット情報を携帯電話機へ提供するようにした電子チケット販売装置装置であって、
入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御手段を含むことを特徴とする電子チケット販売装置。
【請求項１６】
前記制御手段は、前記本チケットデータと仮チケットデータとを一括して送信することを特徴とする請求項１５記載の電子チケット販売装置。
【請求項１７】
前記制御手段は、前記電子チケット情トデータと仮チケットデータとを分離して送信することを特徴とする請求項１６記載の電子チケット販売装置。
【請求項１８】
前記携帯電話機からの前記チケット購入希望者向け情報の享受要求に応答して、前記携帯電話機に対してその内部メモリにおける前記仮チケットデータの格納確認を、前記仮チケットデータの認証情報に基づいて行う認証手段を含み、この認証結果に基づいて前記チケット購入希望者向け情報を当該携帯電話機へ送信するようにしたことを特徴とする請求項１５〜１７いずれか記載の電子チケット販売装置。
【請求項１９】
前記チケット購入希望者向け情報は、前記電子チケットのイベントに関連するイベント情報であることを特徴とする請求項１５〜１８いずれか記載の電子チケット販売装置。
【請求項２０】
前記携帯電話機からの前記チケット購入希望者向け情報の享受要求に応答して、前記携帯電話機に対してその格納媒体における前記本チケットデータの格納確認を、前記本チケットデータの認証情報に基づいて行う認証手段を含み、この認証結果に基づいて前記チケット所有者向け情報を当該携帯電話機へ送信するようにしたことを特徴とする請求項１５〜１９いずれか記載の電子チケット販売装置。
【請求項２１】
前記チケット所有者向け情報は、前記携帯電話機の表示画面における壁紙情報や着信メロディ情報を含むことを特徴とする請求項１５〜２１いずれか記載の電子チケット販売装置。
【請求項２２】
電子チケット販売装置から通信網を介して電子チケット情報の提供を受けるようにした携帯電話機であって、
内部メモリと、
着脱自在な格納媒体に対する読出し書込みをなす手段と、
前記電子チケット販売装置から、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を受信して、前記本チケットデータを前記格納媒体に、前記仮チケットデータを前記内部メモリヘ、それぞれ格納制御する格納制御手段とを含むことを特徴とする携帯電話機。
【請求項２３】
前記本チケットデータと仮チケットデータとは一括して前記電子チケット情報として送信され、前記格納制御手段は、前記電子チケット情報の本チケットデータと仮チケットデータとを分離して格納するよう構成されていることを特徴とする請求項２３記載の携帯電話機。
【請求項２４】
前記チケット購入希望者向け情報は、前記電子チケットのイベントに関連するイベント情報であることを特徴とする請求項２２または２３記載の携帯電話機。
【請求項２５】
前記チケット所有者向け情報は、表示画面における壁紙情報や着信メロディ情報を含むことを特徴とする請求項２２〜２４いずれか記載の携帯電話機。
【請求項２６】
電子チケット販売装置から通信網を介して電子チケット情報の提供を受けるようにした携帯電話機の動作をコンピュータにより実行させるためのプログラムであって、
入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、電子チケット販売装置から受信して、前記本チケットデータを着脱自在な格納媒体に、前記仮チケットデータを内部メモリヘ、それぞれ格納制御する格納制御ステップを含むことを特徴とするプログラム。
【発明の詳細な説明】
【技術分野】
【０００１】
本発明は電子チケット提供システム及びその方法並びにそれに用いる電子チケット販売装置及び携帯電話機、更にはその動作プログラムに関し、特に通信網を介して電子チケットをユーザの携帯電話機へ配信するようにした電子チケット提供方式に関するものである。
【背景技術】
【０００２】
コンサートや観劇等各種イベントにおける入場券や指定券、交通機関における搭乗券や乗車券などのチケット情報をチケット販売センタのサーバから通信網を介して、携帯電話機を用いてＩＣカード上に電子的に取得し、そのチケット情報を実際に利用する際には、このＩＣカードを提示して紙によるチケットの代りとする電子チケットシステムが提案されている（特許文献１，２参照）。また、ＩＣカードを用いることなく、携帯電話機の内部メモリにチケット情報を格納するシステムも提案されている（特許文献３参照）。
【０００３】
【特許文献１】特開２０００−１１３２３８号公報
【特許文献２】特開２００２−３５１６２３号公報
【特許文献３】特開２００２−１８９９３３号公報
【発明の開示】
【発明が解決しようとする課題】
【０００４】
電子チケット情報をＩＣカードに格納する方法では、データの改ざんやコピー防止などのセキュリティ要件を満たすことが可能ではあるが、その電子チケットがイベントのためのチケットであれば、そのイベント会場への交通情報、関連イベントの開催情報や、イベント中止時における払戻し情報等の各種関連情報を入手することが困難である。
【０００５】
携帯電話機に格納する方法では、内部メモリがセキュリティ性を有していないので、セキュリティ性の向上を図るためには、特別にハードウェア等を組込む必要があり、また、チケットの譲渡性にも問題がある。
【０００６】
更に、上述したイベントに関する各種関連情報を、電子チケット情報と共にＩＣカードに格納することも考えられるが、この方法ではＩＣカード及びＩＣカードリーダ／ライタを共に有していなければ、情報を見ることができないという欠点がある。
【０００７】
本発明の目的は、セキュリティ性の向上を図りつつ電子チケットに関連する各種関連情報をユーザに対して容易に配信できかつ目視をも可能とした電子チケット提供システム及びその方法並びにそれに用いる携帯情報処理端末を提供することである。
【課題を解決するための手段】
【０００８】
本発明による電子チケット提供システムは、電子チケット販売装置から通信網を介して電子チケット情報を携帯電話機へ提供するようにした電子チケット提供システムであって、前記電子チケット販売装置は、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御手段を含み、前記携帯電話機は、内部メモリと、着脱自在な格納媒体に対する読出し書込みをなす手段と、前記本チケットデータを前記格納媒体に、前記仮チケットデータを前記内部メモリヘ、それぞれ格納制御する格納制御手段とを含むことを特徴とする。
【０００９】
本発明による電子チケット提供方法は、電子チケット販売装置から通信網を介して電子チケット情報を携帯電話機へ提供するようにした電子チケット提供方法であって、前記電子チケット販売装置において、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御ステップを含み、前記携帯電話機において、前記本チケットデータを着脱自在な格納媒体に、前記仮チケットデータを内部メモリヘ、それぞれ格納制御する格納制御ステップを含むことを特徴とする。
【００１０】
本発明による電子チケット販売装置は、通信網を介して電子チケット情報を携帯電話機へ提供するようにした電子チケット販売装置装置であって、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、携帯電話機へ配信制御する制御手段を含むことを特徴とする。
【００１１】
本発明による携帯電話機は、電子チケット販売装置から通信網を介して電子チケット情報の提供を受けるようにした携帯電話機であって、内部メモリと、着脱自在な格納媒体に対する読出し書込みをなす手段と、前記電子チケット販売装置から、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を受信して、前記本チケットデータを前記格納媒体に、前記仮チケットデータを前記内部メモリヘ、それぞれ格納制御する格納制御手段とを含むことを特徴とする。
【００１２】
本発明による携帯電話機の動作制御プログラムは、電子チケット販売装置から通信網を介して電子チケット情報の提供を受けるようにした携帯電話機の動作をコンピュータにより実行させるためのプログラムであって、入場用の認証情報、チケット表記事項及びチケット所有者向け情報享受用の認証情報を有する本チケットデータと、前記チケット表記事項及びチケット購入希望者向け情報享受用の認証情報を有する仮チケットデータとを含む電子チケット情報を、電子チケット販売装置から受信して、前記本チケットデータを着脱自在な格納媒体に、前記仮チケットデータを内部メモリヘ、それぞれ格納制御する格納制御ステップを含むことを特徴とする。
【００１３】
本発明の作用を述べる。本発明では、電子チケット情報として、本チケットデータと仮チケットデータとに分け、本チケットデータは、入場用の認証情報、チケット表記事項及びチケット所有者向け情報享受用の認証情報を有するものとし、また仮チケットデータは、チケット表記事項及びチケット購入希望者向け情報享受用の認証情報を有するものとする（入場用の認証情報は含まない）。そして、電子チケット販売サーバより、通信網を介して携帯電話機へ本チケットデータと仮チケットデータとを配信し、携帯電話機では、本チケットデータはセキュリティ性が高い着脱自在なＩＣカード等の格納媒体に格納し、仮チケットデータは内部メモリへ格納する。
【００１４】
ユーザがこのチケットに関するイベント関連情報（イベント会場へのアクセスのための交通情報や、関連イベント情報等）であるチケット購入希望者用の仮チケット向け情報を知りたい場合には、電子チケット販売サーバへアクセスし、電子チケット販売サーバはこのユーザが仮チケットデータを携帯電話機に持っているかどうかを、仮チケットデータの認証情報により確認（認証）して、認証ができれば、仮チケット向け情報を当該ユーザの携帯電話機へ送信する。これにより、チケット購入希望者は、この仮チケット向け情報を携帯電話機の表示部に表示することにより、見ることができる。
【００１５】
また、電子チケット販売サーバを介して、本チケットの所有者に対して、プレミアム（報償）として、例えは、携帯電話機の表示部における壁紙や着信メロディ等の本チケット向け情報を送信するようにすることで、チケット販売促進が可能となるが、この場合、ユーザが本当に本チケットデータを保持していることを確認（認証）する必要があり、よって、当該本チケットデータに含まれているチケット所有者向け情報享受用の認証情報を用いるのである。
【発明の効果】
【００１６】
本発明によれば、電子チケット情報を本チケットデータと仮チケットデータとに分け、本チケットデータをセキュリティ性が高いＩＣカード等の格納媒体に格納し、仮チケットデータを携帯電話機の内部メモリに格納することで、ＩＣカードが有する高セキュリティ性と譲渡性とを確保しつつ、本チケットデータがなくても、仮チケットデータが携帯電話機に格納されていれば、チケット表記事項の確認ができ、また仮チケット向けの情報の享受が可能となるという効果がある。更に、仮チケット向け情報として、関連イベント情報（次回イベントの情報等）とすることで、チケット販売促進ができる、また、本チケットデータを有するチケット所有者に対して、所定のプレミアムを配信することで、さらなるチケット販売促進が可能となるという効果がある。
【発明を実施するための最良の形態】
【００１７】
以下に、図面を用いて本発明の第一の実施の形態について詳述する。図１は本発明の第一の実施の形態のシステムブロック図である。図１を参照すると、電子スイッチを販売するための電子チケット販売サーバ１と、ユーザが携帯している携帯電話機２とが通信網４を介して接続されている。携帯電話機２はＩＣカード３が着脱自在な構成となっているものとする。このＩＣカード３に、電子チケットデータが格納される
【００１８】
携帯電話機２は、通信網４を介して電子チケット販売サーバ１との通信をなす通信部２１と、ＩＣカード３の読出しや書込みを行うＩＣカードリーダ／ライタ２２と、内部メモリ２３と、これ等各部を制御する制御部（ＣＰＵ）２４と、この制御部２４の動作を予めプログラムとして格納したＲＯＭ２５とを有している。また、電子チケット販売サーバ１は、図２に示すように、通信網４を介して携帯電話機２との通信をなす通信部１１と、各種認証処理を行う認証部１２と、各種のデータを格納したデータベース１３と、これ等各部を制御する制御部（ＣＰＵ）１４と、この制御部１４の動作を予めプログラムとして格納したＲＯＭ１５とを有している。
【００１９】
図３は本発明の第一の実施の形態における電子チケット配信時の動作シーケンス図である。ユーザが電子チケットを入手する場合、先ず、ユーザは携帯電話機２を用いて電子チケット販売サーバ１へアクセスし（ステップＳ１）、当該サーバ１に接続することにより、携帯電話機２の図示せぬ表示部に表示された案内画面に従って操作して、所望の電子チケットの配信を受けることになる（ステップＳ２）。このときの電子チケット配販サーバ１からの電子チケットデータの内容を図４に示している。
【００２０】
図４を参照すると、この電子チケットデータは本チケットデータＤ１０と仮チケットデータＤ２０とを有している。本チケットデータＤ１０は、イベント入場用認証情報Ｄ１１と、本チケット向け情報享受用の認証情報である本チケット認証情報Ｄ１２と、チケット表記情報であるイベント情報Ｄ１３とを有している。イベント入場用認証情報Ｄ１１はイベント会場への入場時の認証のための情報であり、電子的認証の場合には、チケットＩＤやＰＩＮ（Personal Identification Number）等であり、更なるセキュリティ性の向上を図るためには、共通鍵や秘密鍵／公開鍵等をも含むものとする。他の認証情報についても同じとする。
【００２１】
本チケット認証情報Ｄ１２は本チケット向け情報享受用の認証情報であり、本チケット向け情報とは、チケット所有者に対する一種のプレミアムを付与するために、例えば携帯電話機の表示画面における壁紙情報や着信メロディ情報等である。本チケット認証情報は、この様なプレミアム情報の享受を受けるチケット所有者であるかどうかを確認するための認証情報である。イベント情報Ｄ１３はチケット表記情報であり、少なくともイベント開催日時、開催場所、指定座席番号であり、チケットの券面に表記される情報である。
【００２２】
仮チケットデータＤ２０は本チケットデータＤ１０のイベント情報Ｄ１３と同一のイベント情報Ｄ２１と、仮チケット向け情報享受用の仮チケット認証情報Ｄ２２とを有している。仮チケット向け情報とは、例えば次回のイベントの開催情報など、イベント関連情報であり、チケット所有者でなくても、チケット購入意欲のある人（チケット購入希望者）への配信情報である。よって、仮チケット認証情報Ｄ２２はこのような仮チケット向け情報を享受する人であるかを確認するための認証情報である。
【００２３】
携帯電話機２においては、この電子チケット情報を享受すると、制御部２４は本チケットデータＤ１０と仮チケットデータＤ２０とを分離して（ステップＳ３）、仮チケットデータＤ２０は内部メモリ２３に格納し（ステップＳ４）、本チケットデータＤ１０はＩＣカードリーダ／ライタ２２を介してＩＣカード３へ格納する（ステップＳ５，Ｓ６）。
【００２４】
図５は本実施の形態において、仮チケット向け情報を配信する場合の動作シーケンス図である。ユーザが仮チケット向け情報の享受を希望する場合、携帯電話機２を用いて電子チケット販売サーバ１へアクセスする（ステップＳ１１）。これに応答して、電子チケット販売サーバ１は、携帯電話機２の内部メモリ２３に仮チケットデータが格納されているかを確認するために、仮チケット認証情報を携帯電話機２へ要求する（ステップＳ１２）。
【００２５】
携帯電話機２の制御部２４は、この要求に応答して、仮チケットデータの認証情報の読出しを、内部メモリ２３に対して行う（ステップＳ１３、Ｓ１４）。内部メモリ２３から読出された仮チケットデータ認証情報は制御部２４により電子チケット販売サーバ１へ送信される（ステップＳ１５）。電子チケット販売サーバ１はこの仮チケット認証情報を用いて認証処理を行う（ステップＳ１６）。この認証処理により仮チケットデータの格納が確認されると、電子チケット販売サーバ１は携帯電話機２に対して仮チケット向け情報を配信する（ステップＳ１７）。携帯電話機２はこの仮チケット向け情報を受信して表示部へ表示する（ステップＳ１８）か、またはメモリへ保持する。この場合においては、本チケットデータを格納したＩＣカード３は不要である。
【００２６】
図６は本実施の形態において本チケット向け情報配信時の動作シーケンス図である。本チケットデータをＩＣカード３に有するユーザが本チケットデータ向けの情報（プレミアム情報）を享受する場合には、携帯電話機２により電子チケット販売サーバ１へアクセスする（ステップＳ２１）。これに応答して、電子チケット販売サーバ１は、携帯電話機２に実装されているＩＣカード３に本チケットデータが格納されているかを確認するために、本チケット認証情報を携帯電話機２へ要求する（ステップＳ２２）。
【００２７】
携帯電話機２の制御部２４は、これに応答して、本チケットデータ認証情報の読出しを、ＩＣカードリーダ／ライタ２２へ要求し（ステップＳ２３）、ＩＣカードリーダ／ライタ２２はＩＣカードから本チケットデータ認証情報を読出して、制御部２４によりこれを電子チケット販売サーバ１へ送信する（ステップＳ２４〜Ｓ２７）。電子チケット販売サーバ１はこの本チケット認証情報を用いて認証処理を行う（ステップＳ２８）。この認証処理により、本チケットデータの格納が確認されると、電子チケット販売サーバ１は携帯電話機２に対して本チケット向け情報を配信する（ステップＳ２９）。
【００２８】
携帯電話機２はこの本チケット向け情報を表示画面に表示する（ステップＳ３０）か、メモリへ保存する。このとき、本チケットデータを格納したＩＣカード３を携帯電話機２に実装していないと、本チケットデータの格納が確認できないので、本チケット向け情報は電子チケット販売サーバ１から携帯電話機２へは送信されないことになる。
【００２９】
図７は本チケットの利用時の動作シーケンス図であり、図１には図示していない改札機は、ＩＣカード３に格納されている本チケットデータを読出し（ステップＳ３１，Ｓ３２）、その確認（認証）を行う（ステップＳ３３）。このときの確認（認証）処理は本チケットデータＤ１０のイベント入場用認証情報Ｄ１１（図４参照）を用いて行われる。本チケットデータの認証により、入場可であると判断されると、ＩＣカード３を有するユーザは本チケットが定めるサービスの提供を受けることが可能になる。
【００３０】
図８は本発明の第二の実施の形態の動作シーケンス図であり、図３と同等部分は同一符号にて示している。先の第一の実施の形態においては、図４に示した電子チケット情報を、本チケットデータＤ１０と仮チケットデータＤ２０とを一括して一度に携帯電話機へ送信しているが、本例では、両データを分離して別々に送信するようにしている（ステップＳ７）。携帯電話機２ではこれ等両データを内部メモリ２３とＩＣカード３とにそれぞれ格納するものである（ステップＳ４〜Ｓ６）。
【図面の簡単な説明】
【００３１】
【図１】本発明のシステム構成図である。
【図２】図１の電子チケット販売サーバ１の構成図である。
【図３】本発明の第一の実施の形態の動作シーケンス図である。
【図４】本発明における電子チケット情報の例を示す図である。
【図５】本発明の実施の形態における仮チケット向け情報の配信を享受する場合の動作シーケンス図である。
【図６】本発明の実施の形態における本チケット向け情報の配信を享受する場合の動作シーケンス図である。
【図７】本発明の実施の形態における電子チケットの改札の際の動作シーケンス図である。
【図８】本発明の第一の実施の形態の動作シーケンス図である。
【符号の説明】
【００３２】
１  電子チケット販売サーバ
２  携帯電話機
３  ＩＣカード
４  通信網
１１，２１  通信部
１２  認証部
１３  データベース
１４，２４  制御部（ＣＰＵ）
１５，２５  ＲＯＭ
【図１】
2005078540.tif 000003
【図２】
2005078540.tif 000004
【図３】
2005078540.tif 000005
【図４】
2005078540.tif 000006
【図５】
2005078540.tif 000007
【図６】
2005078540.tif 000008
【図７】
2005078540.tif 000009
【図８】
2005078540.tif 000010